(57)【要約】【課題】バスレフ型スピーカ装置のバスレフダクトを、キャビネット補強用のリブとバフル板、キャビネットによって形成し、スピーカの薄型化、不要共振低減、部品点数削減、作業容易性を同時に実現し、さらに風きり音も低減する。【解決手段】バスレフ型スピーカ装置のバフル板と該キャビネットのいずれか一方に開口部を設け、開口部につながるダクトをバフル板とキャビネットを接合することによって形成されるボックス前面および背面および側面と、バフル板およびキャビネットの少なくともいずれか一方に垂直配置されるリブによって構成する。また、開口部に隣接されるように形成されるラウンド形状部を設けることで、風きり音を低減する。【選択図】図２
2010268189.tif 000002
【特許請求の範囲】
【請求項１】
バフル板とキャビネットからなるスピーカボックスにおいて、該バフル板と該キャビネットのいずれか一方に開口部を有し、前記開口部につながるダクトを形成するバスレフ型スピーカ装置において、前記スピーカボックスが、前記バフル板と前記キャビネットを接合することによって形成されるボックス前面および背面および側面と、前記バフル板および前記キャビネットの少なくともいずれか一方に垂直配置される1または複数のリブを有し、前記ダクトが、前記ボックス前面および背面と、前記リブあるいはボックス側面の少なくともいずれかによって構成されることを特徴とするバスレフ型スピーカ装置。
【請求項２】
請求項１に記載のバスレフ型スピーカ装置において、前記開口部に隣接されるように形成されるラウンド形状部を設けることを特徴とするバスレフ型スピーカ装置。
【発明の詳細な説明】
【技術分野】
【０００１】
本発明は、ホームシアターなどの音響機器に用いられるスピーカ装置で、ダクトを有する位相反転型（バスレフ型）スピーカに関するものである。
【背景技術】
【０００２】
近年、ホームシアターシステムなどと組み合わせて用いられる映像機器の薄型化が急速に進んでおり、それに伴ってプレーヤなどの再生機器や、ホームシアターのスピーカなどの小型・薄型化も求められている。また一方では、Ｂｌｕ−ｒａｙ  Ｄｉｓｃに代表される広帯域・高ダイナミックレンジのコンテンツを高品位に再生するため、小型・薄型のキャビネットであっても大音量の低音再生が望まれている。
【０００３】
小型のキャビネットであっても効率のよい低音再生が可能な方式として、スピーカキャビネットの前面あるいは背面にダクトを設け、スピーカ背面からの音を利用して低音増強するバスレフ型がよく知られており、広く用いられている。しかし、従来型のバスレフ方式では、スピーカの薄型化を考えた場合、十分な低音域を再生可能とするために必要なダクト長の確保が困難であった。また、スピーカを薄型化する場合には、必要なスピーカ容積を確保することを考えると、幅・高さ方向に大型化しなければならないため、バフル面が広くなる。そのため特にキャビネットを樹脂成型する場合などには、キャビネットの不要共振が発生し易いという問題がある。
【０００４】
スピーカの薄型化におけるダクト長確保の課題に関しては、バスレフ型スピーカのダクトをスピーカボックスの長手方向に沿って延びる円筒形状に形成し、ダクトを軸方向に沿って分割して、一方をキャビネットと一体形成したもの（特許文献1）や、ダクトを長手方向に分割し、分割した部材に略円弧状の湾曲部を持たせることで、スピーカの奥行きを十分確保できない場合でも、必要なダクト長を確保するようにしたもの（特許文献2）が開示されている。
【０００５】
しかしながら、上記特許文献1、2に記載の発明の場合は、スピーカキャビネットを樹脂成型により形成するためにはダクトが別部品である必要があり、部品点数の増加、および作業工程での煩雑さを伴う。この課題に対しては、スピーカの前面あるいは背面キャビネットのいずれかに半割り状のダクトを形成し、前面および背面キャビネットを接合することによりバスレフダクトを形成するようにしたもの（特許文献3）がある。
【先行技術文献】
【特許文献】
【０００６】
【特許文献１】特開２００５−３１８０８１号公報
【特許文献２】特開２００４−３４３５４８号公報
【特許文献３】特開２００７−０３６９２１号公報
【発明の概要】
【発明が解決しようとする課題】
【０００７】
しかしながら、上記特許文献３に記載の発明では、薄型化によって幅・高さ方向が大型化した場合に不要共振が発生し易いという課題を解決できない。また、ダクトの開口付近にR形状をとれないため、風きり音が発生しやすいという課題がある。
このような従来のバスレフ型スピーカに対して、本発明は、スピーカを薄型化しても、十分な低音域を再生するために必要なダクト長を確保でき、部品点数を増やすことなく不要共振および風きり音の低減を実現することを提供することを目的としてなされたものである。
【課題を解決するための手段】
【０００８】
上記目的を達成するために、本発明の請求項１に記載の発明は、バフル板とキャビネットからなるスピーカボックスにおいて、該バフル板と該キャビネットのいずれか一方に開口部を有し、前記開口部につながるダクトを形成するバスレフ型スピーカ装置において、前記スピーカボックスが、前記バフル板と前記キャビネットを接合することによって形成されるボックス前面および背面および側面と、前記バフル板および前記キャビネットの少なくともいずれか一方に垂直配置される1または複数のリブを有し、前記ダクトが、前記ボックス前面および背面と、前記リブあるいはボックス側面の少なくともいずれかによって構成されることを特徴としている。
【０００９】
本発明の請求項２に記載の発明は、請求項１に記載のバスレフ型スピーカ装置において、前記開口部に隣接されるように形成されるラウンド形状部を設けることを特徴としている。
【発明の効果】
【００１０】
本発明のバスレフ型スピーカ装置は、バスレフダクトをバフル板、キャビネット、およびそれらの少なくともいずれかに配置されたリブによって構成するため、スピーカを薄型化しても十分な低音域を再生するために必要なダクト長を確保できるだけでなく、キャビネットの補強、ダクトの部品点数の削減および作業工程の簡略化が同時に実現できるという利点がある。なおかつ、ダクトから生じる風きり音も抑制することができる。
【図面の簡単な説明】
【００１１】
【図１】本発明の実施の形態にかかるバスレフ型スピーカ装置の外観斜視図
【図２】本発明実施の形態にかかるバスレフ型スピーカ装置の斜視図
【発明を実施するための形態】
【００１２】
以下、本発明のバスレフ型スピーカ装置を実施するための形態について、図を用いて詳細に説明する。
【００１３】
図１は本発明の実施形態の一例であるバスレフ型スピーカ装置の外観図であり、図２は同スピーカ装置１をバフル板２、キャビネット３に分解した場合の斜視図である。
図１において、本発明の実施形態であるスピーカボックス本体１は、バフル板２および、キャビネット３を接合手段７により接合することによって構成されている。同本体１は、バスレフダクトの開口部４およびバスレフダクト６ａを備えるバスレフ型スピーカ装置である。
【００１４】
スピーカユニット５は、図２に示すように取付け手段８によってバフル板２に取り付けられている。スピーカユニット５の背面から放射された音は、バフル板２側のバスレフダクト６ａと、キャビネット３側のバスレフダクト６ｂが接合されることによって形成されるバスレフダクトを通過して、バスレフダクトの開口部４に導かれる。このように、バスレフダクトを本体１の長手方向に配置することによって、低音域を再生するために必要なダクト長を確保することが可能になる。またこのバスレフダクトは、バスレフダクト6aおよびバスレフダクト６ｂのラウンド形状８によって、音道の曲がり角やシャープなエッジを無くし、音圧の損失や風きり音が生じるのを抑制している。
【００１５】
バフル板２およびキャビネット３には、本体１を薄型化したため高さ・幅方向に大きな平面ができるが、バフル板２およびキャビネット３を接合することによって、キャビネット３側に配置したバスレフダクト６ｂが補強リブとなり、不要共振を抑制することが可能となる。また、バスレフダクトを配置する位置を適宜変更することによって、共振が発生しやすい部位の共振を抑制することができる。
【００１６】
バフル板２に配置したバスレフダクト６ａや、キャビネットに配置したバスレフダクト６ｂは、それぞれ一体に形成されているため、バスレフダクトを別部品で構成する必要がなく、コスト削減が可能であり、工程での接着等の煩雑作業も解消される。
【００１７】
以上のように本形態によれば、スピーカを薄型化しつつ、キャビネットの補強、ダクトの部品点数の削減が同時に実現でき、ダクトから生じる風きり音も抑制することができる。なお、バフル板とキャビネットを接合することによってできるスピーカボックス壁面をバスレフダクトの一部として利用することもでき、更なる形状の簡素化を図ることが可能である。
【産業上の利用可能性】
【００１８】
本発明は、薄型あるいは小型の表示装置に内蔵されるスピーカ装置にも適用可能である。
【符号の説明】
【００１９】
１    バスレフ型スピーカ装置。
【００２０】
２    バフル板
３    キャビネット
４    バスレフダクト開口部
５    スピーカユニット
６a    バフル板側バスレフダクト
６b    キャビネット側バスレフダクト
７    スピーカボックス接合手段
８    スピーカユニット取付け手段
【図１】
2010268189.tif 000003
【図２】
2010268189.tif 000004